(57)【要約】【課題】  額縁に入れて室内等に飾るに適した金色の装飾品であって、凹凸図柄を含む全表面が金色となった美麗な装飾品を金箔を用いて製作すること。【解決手段】    和紙、絹織物等のシート状基材の表面に、図柄の部分だけが網目となっているスクリーンを被せて、該スクリーンの上から糊材を刷りこむことにより、盛り上がった糊材で凸状の図柄部分を形成し、当該図柄部分を含む全面にニカワを含む液状接着剤を塗布して下地層を形成したのち、その上に金箔を順に載置して貼り付けることにより、全体が金色で凹凸図柄のある装飾品を得る。【選択図】        図６
2007203697.tif 000002
【特許請求の範囲】
【請求項１】
シート状基材表面の図柄部分に糊材を盛り上げて形成された盛り上げ部分と、該図柄が形成されていない平坦な部分とを含む全表面が金箔で覆われていることを特徴とする装飾品。
【請求項２】
金箔を貼り付けた表面にニカワを含む透明な被覆が施されている請求項１に記載の装飾品。
【請求項３】
シート状基材の表面に、図柄の部分だけが網目となっているスクリーンを被せて、該スクリーンの上から糊材をすりこむことにより、糊材を盛り上げた図柄を形成する図柄盛り上げ工程と、盛り上がった図柄部分を含む全表面に液状接着剤を塗布して下地層を形成する下地層形成工程と、当該下地層の上に金箔を順に貼り付ける工程とを経て、盛り上がった図柄部分を含む全表面に金箔が貼り付けられた装飾品を得ることを特徴とする装飾品の製作方法。
【請求項４】
液状接着剤がニカワを含む水溶液である請求項３に記載の装飾品の製作方法。
【請求項５】
下地層形成工程は、ニカワとミョウバンを含む水溶液を複数回乾燥しながら繰り返して塗布する工程と、その上に箔墨を塗布する工程とを含む請求項３又は４に記載の装飾品の製作方法。
【請求項６】
全面に金箔を貼り付けた後、ニカワとミョウバンを含む水溶液を全面に塗布する仕上げ工程を施す請求項３乃至５のいずれかに記載の装飾品の製作方法。
【発明の詳細な説明】
【技術分野】
【０００１】
本発明は、額縁に入れたり、壁画として飾るに適した金色の装飾品及びその製作方法に関するものである。
【背景技術】
【０００２】
金色の工芸品としては、表面に金メッキを施した仏像や仏壇等があり、金箔を用いた美術品としては、和紙等の下地に貼った金箔上に絵の具で花や動物を描いた日本画、金屏風、扇子等が古くから知られている。
【０００３】
上記仏像や仏壇は、金メッキの技術を利用するので、立体的な形状のものを比較的簡単に得ることができる。一方、金箔は薄くて破れやすいので取扱が難しく、また、気泡等を残留させずに凹凸のある形状のものに貼り付けるのはきわめて困難である。このような理由から、凹凸図柄が形成されたシート状乃至板状の基材の表面全体に金箔を貼り付けて、金色の凹凸図柄を表現した装飾品は得られていなかった。
【０００４】
なお、凹凸のある器物の表面に金箔を貼り付ける技術として、特許文献１に記載の金属箔貼付けシートが提案されており、さらに、特許文献２には、大小寸法の異なる金箔を漆層の上に貼り付ける方法が記載されている。
【０００５】
【特許文献１】特開平５−３０５７９９号公報
【特許文献２】特開平７−８９２９５号公報
【発明の開示】
【発明が解決しようとする課題】
【０００６】
上記特許文献１に記載のものは、金箔の両面を極薄の伸展性合成樹脂保護膜で覆い、その一方の面側に離型材とフィルムを順に重ねるとともに、他方の面側に、伸展性のある接着剤層及び離型紙を層状に重ねた積層体からなるシートである。その使用に際しては、前記離型紙を剥いで接着剤層を露出させて器物に貼り付け、ついで、この貼り付けた積層体から他方の離型材層とフィルムを剥ぎ取って、保護膜で覆われた金箔面を露出させるものである。
【０００７】
また、上記特許文献２に記載のものは、和紙等の表面に塗った漆層に大小寸法の異なる不定形の金箔片をランダムに接着したもので、これを被装飾品の表面に貼り付けることにより、金色の装飾を簡単に行うことができるとされている。なお、同特許文献２には、金箔片を重ね合わせて貼り付けることにより、凹凸が形成される旨の記載がある。
【０００８】
しかしながら、上記特許文献１に記載の方法では、金箔を挟んで合成樹脂保護膜や離型材やフィルム等を重ねた積層体を用意する必要があるので、その分手間がかかるという問題点があるほか、金箔を合成樹脂保護膜で覆っておかなければならないので、金箔特有の光沢が損なわれるおそれがある。また、この構成では、金箔の端部同士を重ね合わせた状態で貼り付けると、接着剤によって両者が重なり合った状態で接着されるので、金箔を隙間なく貼り付けた場合に継ぎ目が現れることになり、美観が損なわれるおそれがある。
【０００９】
さらに、上記特許文献２に記載のものは、大小不定形の金箔片をランダムに貼り付けた和紙を被装飾面に貼り付けるものであるから、被装飾面全体を金色とし、しかも金色の凹凸図柄を現出させることはできない。
【００１０】
そこで、本発明は、例えば壁画や額縁に入れて飾れる装飾品であって、金箔を用いて金色の凹凸図柄を形成した装飾品と、その製作方法を提供することを課題としている。
【課題を解決するための手段】
【００１１】
本発明は、上記課題を解決するため、次のような構成を採用した。すなわち、請求項１に記載の金箔を用いた装飾品は、シート状基材表面の図柄部分に糊材を盛り上げて形成された盛り上げ部分と、該図柄が形成されていない平坦な部分とを含む全表面が金箔で覆われていることを特徴としている。また、請求項２に記載の発明は、上記請求項１に記載の装飾品であって、金箔を貼り付けた表面にニカワを含む透明な保護被覆が施されているものである。
【００１２】
請求項３に記載の発明は、シート状基材の表面に、図柄の部分だけが網目となっているスクリーンを被せて、該スクリーンの上から前記糊材をすりこむことにより、糊材を盛り上げた図柄を形成する図柄盛り上げ工程と、盛り上がった図柄部分を含む全表面に液状接着剤を塗布して下地層を形成する下地層形成工程と、当該下地層の上に金箔を順に貼り付ける工程とを経て、凹凸図柄部分を含む全表面に金箔が貼り付けられた装飾品を得ることを特徴とする装飾品の製作方法である。また請求項４に記載の発明は、上記請求項３に記載の発明において、液状接着剤がニカワを含む水溶液であるを特徴とするものである。
【００１３】
さらに、請求項５に記載の発明は、上記請求項３又は４に記載の装飾品の製作方法であって、上記下地層形成工程は、ニカワとミョウバンを含む水溶液を複数回乾燥しながら繰り返して塗布する工程と、その上から箔墨を塗布する工程とを含むことを特徴とするものである。また、請求項６に記載の発明は、上記請求項３乃至５のいずれかに記載の装飾品の製作方法において、全面に金箔を貼り付けた後、上記ニカワとミョウバンを含む水溶液を全面に塗布する仕上げ工程を施すことを特徴とするものである。
【発明の効果】
【００１４】
本願発明によれば、壁画や額縁に入れて飾ることのできる装飾品であって、金箔を用いて、金色の凹凸図柄が表現された装飾品を得ることができる。
【発明を実施するための最良の形態】
【００１５】
以下、本発明に係る装飾品と、その製作方法について詳細に説明する。本発明に係る装飾品は、従来の美術工芸品には見られなかった特徴的なものであり、金箔を用いて、全面を金色にするとともに、そのなかに凹凸の図柄を金色で形成するものである。その製作方法を要約すれば、つぎのとおりである。
【００１６】
まず、絹織物や和紙等のシート状素材の表面にスクリーンを用いて、糊材を複数回刷り上げることにより、当該糊材を盛り上げて凸状図柄を形成する。つぎに、ニカワ等の接着剤を図柄部分を含む表面全体に刷毛引き等の方法で塗り、下地層を形成する。しかるのち、ニカワとミョウバンを合わせた水溶液（「礬（どうさ）液」と呼ばれる）を塗る作業（どうさ引き作業）を行い、下地層を完成させる。
【００１７】
ついで、下地層の表面全体にニカワ等の接着剤を塗布し、その上から金箔を一方の端から順に載置して行く。この金箔は、下地表面に静かに鎮（しず）んで行くので、そのまま充分な時間放置して乾燥させる。これにより、凹凸部に空気が侵入して剥れやひび割れが生じたりせず、美麗な金色表面が得られるのである。
【実施例】
【００１８】
以下、本発明の実施例について説明する。図１は、本発明の装飾品を製作する手順を表す工程図、図２乃至図６は、製作手順を表す断面図、図７は得られる装飾品の正面図である。
【００１９】
この装飾品１の製作に際しては、絹織物、和紙等の適当なシート材を基材２として使用する。この基材２の表面状にスクリーン５を被せる。基材２には、あらかじめ所望の図柄（植物、動物、建物、風景等）を表示しておく。この場合、スクリーン５は、基材２上に位置決めして固定する。スクリーン５としては、版画等に使用されるシルクスクリーンを好適に使用することができる。本発明では、着物の絵付け等に使用される最も細かいメッシュのものを使用するのが好ましい。
【００２０】
スクリーン５は、図柄を表す部分が網目となっており、図柄を表さない部分は、ニス等で網目を塞いで、表裏が連通しないシート状になっている。これは、後述の糊材が図柄部分だけに塗られるようにするためである。
【００２１】
シート状基材５の表面にスクリーン５を被せて固定したら、その上から糊材１０をへらで刷り込んで、基材５表面の図柄の部分に付着させる。この操作を複数回（例えば３回）繰り返して、糊材を基材５の表面に盛り上げ、基材２上に凹凸の図柄を形成する（図２参照）。図柄を表す凸部の高さは数ｍｍ、例えば３ｍｍ程度とするのが好ましい。なお、糊材１０を１回刷り込むたびにスクリーン５を取り外して糊材を充分に乾燥させる。この場合、気泡等が生じないように自然乾燥させるのが好ましい。乾燥は、春、秋の通常の室温程度で３日以上乾燥する必要があり、１週間以上乾燥するのが好ましい。暖房装置等を用いて強制乾燥させるのは好ましくない。
【００２２】
上記糊材１０は、金箔の下地として適したものであればよく、例えば、京友禅に使用される市販の箔下糊を使用することができる。なお、糊材１０は水溶性であるが、乾燥したら洗っても取れにくい糊を使用するのが好ましい。油性の糊材は、ニカワが乗らないので使用できない。
【００２３】
盛り上がった糊材１０が充分に乾燥したら、その上から糊材表面を安定化する液として、ニカワとミョウバンを含む水溶液（どうさ液）を刷毛等で塗布する。どうさ液（礬水）は、例えば水１０００ｃｃとニカワ５０ｇとミョウバン５ｇを混合したもので、この混合液をガス火で加熱して沸騰させてから冷ましたものである。どうさ液の塗布は、塗るたびに乾燥しながら例えば８回〜１０回程度繰り返す。実際に試したところでは、８回塗布するのが好ましかった。どうさ液を塗布することにより、耐久力が増し、水に強い被覆が得られる。
【００２４】
どうさ液の塗布が終了したら、金箔の下地としてより適したものとするため、箔墨（はくずみ）を塗っておくのが好ましい。箔墨は、くちなしの実を焚いて柔らかくしたものを濾した黄色の液で、金箔を貼る工芸で下地として使用される公知のものである。黄色であるから、金箔に微細な穴があっても目立たなくなる。この箔墨を塗ったら、半日程度乾燥する。箔隅の塗布は、通常は１回でよい。
【００２５】
箔墨が乾燥したら、当該箔墨の上からニカワ液（ニカワを水に溶いた液）を塗布する。ニカワ液は、例えば水１０００ｃｃにニカワ５０ｇを加えたものである。ニカワ液の塗布は、乾燥しながら７回程度繰り返して行う。これにより、全表面にニカワ層１５が形成される（図３参照）。
【００２６】
つぎに、金箔を貼るための接着剤として、薄め（例えば水１０００ｃｃにニカワ２５ｇ程度を加えたもの）のニカワ液（箔下ニカワ）をシート状基材２の全体に塗る。そして、金箔２０を基材２の一方の隅から順に貼り付けて行く。この貼り付けは、接着剤であるニカワ液上に金箔を載せるだけでよく、下向きに押し付けるようなことはしない。金箔の貼り付けは、基材全体の上端部から順に行う。すなわち、まず図４におけるａ列に接着剤としてのニカワ液を塗り、このニカワ液が乾かないうちに左端から順に金箔を貼り付ける。使用する金箔２０の大きさは、基準寸法が例えば１２７ｍｍ角と１０９ｍｍ角であり、装飾品の寸法に応じて適当な大きさのものを使用すればよい。
【００２７】
ａ列の貼り付けが終わると、引き続きｂ列に接着剤としてのニカワ液を塗って同様に金箔を貼り付ける。なお、図５に示すように、互いに隣接する金箔の端部２０ａ同士が３ｍｍ程度重なるように貼り付ける。以下、同様に順次下側の列に金箔を貼り、基材表面全体が金箔で覆われた状態とする（図６参照）。
【００２８】
全体に金箔２０を貼り終ったら、乾いた真綿を用いて上記金箔同士の重なり合った端縁部分を拭き取る。重なり合った部分の上側の金箔はニカワで貼り付けられていないので、真綿で拭くと簡単に切り取って除去することができる。このように、端縁部を重ね合わせて貼り付けたのち、重なり合った部分を剥ぎ取ることにより、金箔同士の接合部の筋が目立たないように金箔を貼り合わせることができるのである。
【００２９】
なお、貼り付けた金箔２０に、何らかの理由で目に見えるほどの穴が開いている場合は、この穴の部分に筆でニカワを塗り、金箔の切れ端を貼り付けて補修すればよい。この補修部分が乾燥したら、乾いた真綿で余計な金箔（穴の周囲にはみ出している部分）を拭き取る。これにより、穴の部分が目立たないように補修できる。
【００３０】
全面に金箔を貼り終ったら２４時間程度放置する。この間に表面の凹凸に金箔２０が静かに鎮（しず）んで、密着状態となり、乾燥する。この装飾品は、金箔をニカワ層の上に載せて静かに鎮ませるので、鎮金技法ともいうことができる。なお、金箔を貼る表面が凹凸状であるから、金箔の裏側に空気が入って、剥れたり、ヒビワレが生じたりしやすいが、上記の手順を慎重に行うことにより、このような問題が生じず、美麗な製品が得られるのである。
【００３１】
金箔２０の貼り付けが終了し、乾燥したら、最後に止め液としてニカワとミョウバンを含むどうさ液（上記どうさ液においてニカワの量だけ半分に減らしたものが好ましい）を刷毛で全体に塗っておくのが好ましい。これは、金箔の表面に極薄の保護皮膜を形成するためであり、この止め液の塗布は、２回行うが、塗るたびに乾燥する。以上によって、金色の凹凸の図柄が表現された装飾品が得られる。この装飾品は、美術工芸品と呼ぶべき種類のもので、もともとシート状の基材２の上に糊材１０を盛り上げて図柄を構成したものであるから、他の部分は平板状であり、彫刻等と違って図７に示すように、額縁３０に入れて飾ることができる。また、全体に金箔２０が貼り付けられているので、凹凸部分も全て金色で、美麗なものである。
【００３２】
使用する金箔２０は、紙で挟んで叩いて延ばして製作されるので、紙の表面の微細な皺がその表面に転写されている。この微細な皺は、金箔を貼り付けたとき、図柄の凸部では引き伸ばされて光沢が増すが、凹部は金箔が引き伸ばされないので、微細な皺が残り、いくらか光沢が鈍いままとなる。また、盛り上がった図柄以外の部分では、基材２の表面の微細な筋等が金箔表面に現れることが多いので、全体的に微妙な光沢の差が生じ、興趣に富んだものとなるのである。
【００３３】
なお、以上の説明では、盛り上げた図柄の高さが均一なものについて説明したが、版を変える（例えば２版乃至３版）ことにより、高さの異なる図柄を形成することも可能であり、この場合も、上記と同様な手順で製品を製作することができる。
【産業上の利用可能性】
【００３４】
本発明は、装飾品産業の分野で利用することができるもので、従来存在しなかった、金色で凹凸図柄を表現した平板状の美麗な装飾品を得ることができるものである。この技術を利用して、凹凸のある器物や建造物等の金箔による装飾を行うことができることはいうまでもない。
【図面の簡単な説明】
【００３５】
【図１】本発明の装飾品を製作する手順を表す工程図である。
【図２】製作手順を表す断面図である。
【図３】製作手順を表す断面図である。
【図４】製作手順を表す断面図である。
【図５】製作手順を表す正面図である。
【図６】その部分拡大図である。
【図７】装飾品の概略を表す正面図である。
【符号の説明】
【００３６】
１      装飾品
２      基材
５      スクリーン
１０      糊材
２０      金箔
【図１】
2007203697.tif 000003
【図２】
2007203697.tif 000004
【図３】
2007203697.tif 000005
【図４】
2007203697.tif 000006
【図５】
2007203697.tif 000007
【図６】
2007203697.tif 000008
【図７】
2007203697.tif 000009